(57)【特許請求の範囲】
【請求項１】
ランダムアクセスのための方法であって、
第１端末装置のランダムアクセスプロシージャに失敗した場合、前記第１端末装置は、前記ランダムアクセスプロシージャを起動するための条件の優先度に基づいて前記ランダムアクセスプロシージャを起動するための条件の優先度に対応する少なくとも一つのパラメータを確定することであって、前記少なくとも一つのパラメータは、前記ランダムアクセスプロシージャを起動するための条件の優先度に対応する第１閾値を含み、前記第１閾値が、前記第１端末装置が前記条件の優先度によってトリガーされる前記ランダムアクセスプロシージャを再度開始する前の第１最大待ち時間を確定することに用いられることと、
前記第１端末装置は、ネットワーク機器から送信される、少なくとも１つの端末装置がランダムアクセスプロシージャを再度開始する前の最大待ち時間を示すためのバックオフ（ｂａｃｋｏｆｆ）指示パラメータを受信し、前記少なくとも１つの端末装置が前記第１端末装置を含むことと、
前記ｂａｃｋｏｆｆ指示パラメータに示される最大待ち時間が前記第１閾値に対応する時間長以上である場合、前記第１端末装置は、前記第１閾値に対応する時間長内で前記バックオフ時間をランダムに確定することと、
前記ｂａｃｋｏｆｆ指示パラメータに示される最大待ち時間が前記第１閾値に対応する時間長より小さい場合、前記第１端末装置は、前記ｂａｃｋｏｆｆに示される最大待ち時間内で前記バックオフ時間をランダムに確定することと、
前記第１端末装置は、前記バックオフ時間に基づいて前記ランダムアクセスプロシージャを再度開始することと、を含むことを特徴とする、前記ランダムアクセスのための方法。
【請求項２】
前記少なくとも一つのパラメータは、第１確率値を含み、
前記第１確率値が、前記バックオフ時間が前記条件の優先度によってトリガーされる前記ランダムアクセスプロシージャを再度開始する前の第２最大待ち時間より小さい確率を示すことに用いられることを特徴とする
請求項１に記載の方法。
【請求項３】
ランダムアクセス応答に、前記第１端末装置が前記ネットワーク機器へ送信したプリアンブルシーケンスが存在しないことに応じて、前記第１端末装置がランダムアクセスプロシージャにおいて失敗したことを確定すること、又は
衝突解決応答に、競争解決に失敗したことが示されることに応じて、前記第１端末装置がランダムアクセスプロシージャにおいて失敗したことを確定すること、
をさらに含む、請求項１〜２のいずれか１項に記載の方法。
【請求項４】
ランダムアクセスのための端末装置であって、前記端末装置が第１端末装置であり、前記端末装置は、確定モジュールと、受信モジュールと、通信モジュールとを備え、
前記確定モジュールは、第１確定ユニットを備え、前記第１端末装置のランダムアクセスプロシージャに失敗した場合、前記ランダムアクセスプロシージャを起動するための条件の優先度に基づき、前記ランダムアクセスプロシージャを起動するための条件の優先度に対応する少なくとも一つパラメータを確定し、前記少なくとも一つのパラメータは、前記ランダムアクセスプロシージャを起動するための条件の優先度に対応する第１閾値を含み、前記第１閾値が、前記第１端末装置が前記条件の優先度によってトリガーされる前記ランダムアクセスプロシージャを再度開始する前の第１最大待ち時間を確定することに用いられ、
前記受信モジュールは、ネットワーク機器から送信される、少なくとも１つの端末装置がランダムアクセスプロシージャを再度開始する前の最大待ち時間を示すためのバックオフ（ｂａｃｋｏｆｆ）指示パラメータを受信することに用いられ、前記少なくとも１つの端末装置が前記第１端末装置を含み、
前記確定モジュールは、第２確定ユニットを備え、前記第２確定ユニットは、前記ｂａｃｋｏｆｆ指示パラメータに示される最大待ち時間が前記第１閾値に対応する時間長以上である場合、前記第１閾値に対応する時間長内で前記バックオフ時間をランダムに確定し、
前記ｂａｃｋｏｆｆ指示パラメータに示される最大待ち時間が前記第１閾値に対応する時間長より小さい場合、前記ｂａｃｋｏｆｆに示される最大待ち時間内で前記バックオフ時間をランダムに確定することに用いられ、
前記通信モジュールは、前記バックオフ時間に基づいて前記ランダムアクセスプロシージャを再度開始するために使用されることを特徴とする、前記ランダムアクセスのための端末装置。
【請求項５】
前記少なくとも一つのパラメータは、第１確率値を含み、前記第１確率値が、前記バックオフ時間が前記条件の優先度によってトリガーされる前記ランダムアクセスプロシージャを再度開始する前の第２最大待ち時間より小さい確率を示すことに用いられることを特徴とする
請求項４に記載の端末装置。
【請求項６】
前記受信モジュールは、更に、
前記ネットワーク機器から送信される、複数のランダムアクセスプロシージャを起動するための条件の優先度と複数の閾値との一対一に対応する関係を含む構成情報を受信することに用いられ、前記複数のランダムアクセスプロシージャを起動するための条件の優先度が前記ランダムアクセスプロシージャを起動するための条件の優先度を含むことを特徴とする
請求項４〜５のいずれか１項に記載の端末装置。
【請求項７】
前記確定モジュールは、更に、
ランダムアクセス応答に、前記第１端末装置が前記ネットワーク機器へ送信したプリアンブルシーケンスが存在しないことに応じて、前記第１端末装置がランダムアクセスプロシージャにおいて失敗したことを確定し、又は
衝突解決応答に、競争解決に失敗したことが示されることに応じて、前記第１端末装置がランダムアクセスプロシージャにおいて失敗したことを確定することに用いられることを特徴とする
請求項４〜６のいずれか１項に記載の端末装置。
【発明の詳細な説明】
【技術分野】
【０００１】
本願の実施例は通信分野に関し、且つより具体的に、ランダムアクセスのための方法、端末装置及びネットワーク機器に関する。
【背景技術】
【０００２】
従来のロングタームエボリューション（ＬＴＥ：Ｌｏｎｇ  Ｔｅｒｍ  Ｅｖｏｌｕｔｉｏｎ）のランダムアクセスプロシージャにおいて、ランダムプロシージャに失敗した後、端末装置は所定期間を待たなければランダムアクセスプロシージャを再度開始できず、この待ち期間はバックオフ時間ｂａｃｋｏｆｆ  ｔｉｍｅと称される。ｂａｃｋｏｆｆ  ｔｉｍｅは、０から端末装置の受信したバックオフ指示パラメータに示される待ち時間までの間から選ばれた１つのランダム値である。従来技術におけるｂａｃｋｏｆｆ  ｔｉｍｅを選択する手段は柔軟性に欠けている。
【発明の概要】
【発明が解決しようとする課題】
【０００３】
これを鑑みて、本願の実施例は通信の柔軟性とシステム性能を向上させることのできるランダムアクセスのための方法、端末装置及びネットワーク機器を提供する。
【課題を解決するための手段】
【０００４】
第１態様に係るランダムアクセスのための方法であって、第１端末装置のランダムアクセスプロシージャに失敗した場合、前記第１端末装置が前記ランダムアクセスプロシージャを起動するための条件に基づいて前記ランダムアクセスプロシージャを再開始する前のバックオフ時間を確定することと、前記第１端末装置が前記バックオフ時間に基づいて前記ランダムアクセスプロシージャを再度開始することと、を含む。
【０００５】
異なるトリガー条件によってトリガーされるランダムアクセスに必要な待ち時間が異なるため、端末装置をトリガーしてランダムアクセスを行う条件を考慮して、最終の待ち時間を確定することにより、通信システムの柔軟性とシステム性能を向上させることができる。
【０００６】
可能な実現方式では、前記第１端末装置が前記ランダムアクセスプロシージャを起動するための条件に基づいて前記ランダムアクセスプロシージャを再開始する前のバックオフ時間を確定することは、前記第１端末装置が前記ランダムアクセスプロシージャを起動するための条件に基づき、前記ランダムアクセスプロシージャを起動するための条件に対応する第１閾値及び／又は前記ランダムアクセスプロシージャを起動するための条件に対応する第１確率値を確定し、前記第１閾値が、前記第１端末装置が前記条件によってトリガーされる前記ランダムアクセスプロシージャを再度開始する前の第１最大待ち時間を示すことに用いられ、前記第１確率値が、前記バックオフ時間が前記条件によってトリガーされる前記ランダムアクセスプロシージャを再度開始する前の第２最大待ち時間より小さい確率を示すことに用いられることと、前記第１端末装置が前記第１閾値及び／又は前記第１確率値に基づいて前記バックオフ時間を確定することと、を含む。
【０００７】
好ましくは、第１端末装置は、保存されるランダムアクセスプロシージャを起動するための条件と閾値又は確率値との対応関係表から、ランダムアクセスプロシージャを開始するようにトリガーする現在の条件に対応する閾値をサーチすることができ、それにより該閾値に基づいて最終バックオフ時間を確定することができる。
【０００８】
好ましくは、該第１端末装置がそれのランダムアクセスプロシージャ失敗を確定することは、ランダムアクセス応答情報において、ネットワーク機器へ送信したプリアンブルシーケンスが受信されないこと、又は衝突解決応答において競争解決に失敗したことが示されることを含む。
【０００９】
好ましくは、該第２最大待ち時間は、ネットワーク機器がブロードキャストによって端末装置に予め通知したものであってもよく、それにより端末装置は該確率を考慮して最終の待ち時間を確定する。異なるトリガー条件に対する第２最大待ち時間が異なってもよい。
【００１０】
可能な実現方式では、前記第１端末装置がネットワーク機器から送信される、少なくとも１つの端末装置がランダムアクセスプロシージャを再度開始する前の最大待ち時間を示すためのバックオフ（ｂａｃｋｏｆｆ）指示パラメータを受信し、前記少なくとも１つの端末装置が前記第１端末装置を含み、前記第１端末装置が前記第１閾値及び／又は前記第１確率値に基づいて前記バックオフ時間を確定することは、前記第１端末装置が前記ｂａｃｋｏｆｆ指示パラメータと、前記第１閾値及び／又は前記第１確率値とに基づいて前記バックオフ時間を確定することを含む。
【００１１】
可能な実現方式では、前記第１端末装置が前記ｂａｃｋｏｆｆ指示パラメータ及び前記第１閾値に基づいて前記バックオフ時間を確定することは、前記第１端末装置が前記ｂａｃｋｏｆｆ指示パラメータに示される最大待ち時間内で第１時間長をランダムに確定することと、前記第１時間長が前記第１閾値に対応する時間長より大きい場合、前記第１端末装置が前記第１閾値に対応する時間長内で前記バックオフ時間をランダムに確定することと、を含む。
【００１２】
可能な実現方式では、前記第１端末装置が前記ｂａｃｋｏｆｆ指示パラメータ及び前記第１閾値に基づいて前記バックオフ時間を確定することは、前記ｂａｃｋｏｆｆ指示パラメータに示される最大待ち時間が前記第１閾値に対応する時間長より大きい場合、前記第１端末装置が前記第１閾値に対応する時間長内で前記バックオフ時間をランダムに確定することと、前記ｂａｃｋｏｆｆ指示パラメータに示される最大待ち時間が前記第１閾値に対応する時間長より小さい場合、前記第１端末装置が前記ｂａｃｋｏｆｆに示される最大待ち時間内で前記バックオフ時間をランダムに確定することと、を含む。
【００１３】
可能な実現方式では、前記第２最大時間長が前記ｂａｃｋｏｆｆ指示パラメータに示される最大待ち時間より小さい。
【００１４】
可能な実現方式では、前記第１端末装置が前記ｂａｃｋｏｆｆ指示パラメータと、前記第１閾値及び前記第１確率値とに基づいて前記バックオフ時間を確定することは、前記第１端末装置が前記ｂａｃｋｏｆｆ指示パラメータ及び前記第１確率値に基づいて第２時間長をランダムに確定することと、前記第２時間長が前記第２最大待ち時間及び前記第１閾値に対応する時間長より大きい場合、前記第１端末装置が前記第１閾値に対応する時間長内で前記バックオフ時間をランダムに確定することと、を含む。
【００１５】
可能な実現方式では、前記方法は、更に、前記第１端末装置が前記ネットワーク機器から送信される、複数のランダムアクセスプロシージャを起動するための条件と複数の閾値との一対一に対応する関係を含む構成情報を受信し、前記複数のランダムアクセスプロシージャを起動するための条件が前記ランダムアクセスプロシージャを起動するための条件を含むことを含む。
【００１６】
第２態様に係るランダムアクセスのための方法であって、ネットワーク機器が複数のランダムアクセスプロシージャを起動するための条件に一対一に対応する閾値及び／又は確率値を確定し、前記閾値が、端末装置が対応する条件によってトリガーされるランダムアクセスプロシージャを再度開始する前の第１最大待ち時間を示すことに用いられ、前記確率値が、前記端末装置の確定したバックオフ時間が対応する条件で再度トリガーされる前記ランダムアクセス前の第２最大待ち時間より小さい確率を示すことに用いられることと、前記ネットワーク機器が前記複数のランダムアクセスプロシージャを起動するための条件と閾値及び／又は確率値との対応関係を含む構成情報を第１端末装置に送信することと、を含む。
【００１７】
異なるランダムアクセスプロシージャを起動するための条件に対し異なる閾値又は確率値を設定し、それにより端末装置は、そのトリガー条件を考慮して最終バックオフ時間を選択することができ、更に通信システムの柔軟性とシステム性能を向上させることができる。
【００１８】
可能な実現方式では、前記ネットワーク機器が複数のランダムアクセスプロシージャを起動するための条件に一対一に対応する閾値及び／又は確率値を確定することは、ネットワーク機器が前記複数のランダムアクセスプロシージャを起動するための条件の優先度に基づき、前記複数のランダムアクセスプロシージャを起動するための条件に一対一に対応する閾値及び／又は確率値を確定することを含む。
【００１９】
ランダムアクセスプロシージャを起動するための条件の優先度は、例えばランダムアクセスの場合の優先度、伝送対象データのサービス品質（ＱｏＳ：Ｑｕａｌｉｔｙ  ｏｆ  Ｓｅｒｖｉｃｅ）パラメータ又は開始したランダムアクセスの失敗回数等であってもよい。
【００２０】
可能な実現方式では、前記方法は、更に、前記ネットワーク機器が少なくとも１つの端末装置がランダムアクセスプロシージャを再度開始する前の最大待ち時間を示すためのバックオフ（ｂａｃｋｏｆｆ）指示パラメータを前記第１端末装置に送信し、前記少なくとも１つの端末装置が前記第１端末装置を含むことを含む。
【００２１】
第３態様に係る端末装置であって、上記第１態様又は第１態様の任意の可能な実現方式における方法を実行することに用いられる。具体的に、該端末装置は上記第１態様又は第１態様の任意の可能な実現方式における方法を実行するためのユニットを備える。
【００２２】
第４態様に係るネットワーク機器であって、上記第２態様又は第１態様の任意の可能な実現方式における方法を実行することに用いられる。具体的に、該ネットワーク機器は上記第２態様又は第２態様の任意の可能な実現方式における方法を実行するためのユニットを備える。
【００２３】
第５態様に係る端末装置であって、メモリ、プロセッサ、入力インターフェース及び出力インターフェースを備える。メモリ、プロセッサ、入力インターフェース及び出力インターフェースがバスシステムを介して接続される。該メモリは命令を記憶することに用いられ、該プロセッサは該メモリに記憶される命令を実行することに用いられ、上記第１態様又は第１態様の任意の可能な実現方式における方法を実行することに用いられる。
【００２４】
第６態様に係るネットワーク機器であって、メモリ、プロセッサ、入力インターフェース及び出力インターフェースを備える。メモリ、プロセッサ、入力インターフェース及び出力インターフェースがバスシステムを介して接続される。該メモリは命令を記憶することに用いられ、該プロセッサは該メモリに記憶される命令を実行することに用いられ、上記第２態様又は第２態様の任意の可能な実現方式における方法を実行することに用いられる。
【００２５】
第７態様に係るコンピュータ記憶媒体であって、上記第１態様又は第１態様の任意の可能な実現方式における方法、又は上記第２態様又は第２態様の任意の可能な実現方式における方法を実行するために用いるコンピュータソフトウェア命令を記憶することに用いられ、前記命令には上記態様を実行するために設計したプログラムが含まれる。
【００２６】
本願のこれらの態様又は他の態様は以下の実施例の説明において更に明らかになる。
【図面の簡単な説明】
【００２７】
【図１】図１は本願の実施例の１つの応用シーンを示す模式図である。
【図２】図２はランダムアクセスプロシージャを示すフローチャートである。
【図３】図３は本願の実施例のランダムアクセスのための方法を示す模式的なブロック図である。
【図４】図４は本願の実施例のランダムアクセスのための方法を示す他の模式的なブロック図である。
【図５】図５は本願の実施例のランダムアクセスのための端末装置を示す模式的なブロック図である。
【図６】図６は本願の実施例のランダムアクセスのためのネットワーク機器を示す模式的なブロック図である。
【図７】図７は本願の実施例のランダムアクセスのための端末装置を示す他の模式的なブロック図である。
【図８】図８は本願の実施例のランダムアクセスのためのネットワーク機器を示す他の模式的なブロック図である。
【発明を実施するための形態】
【００２８】
以下、本願の実施例の図面を参照しながら、本願の実施例の技術案を明確且つ完全に説明する。
【００２９】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよいと理解すべきである。
【００３０】
特に、本願の実施例の技術案は非直交多元アクセス技術に基づく様々な通信システム、例えば疎コード多重アクセス（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等に適用されてもよく、無論、通信分野ではＳＣＭＡシステムとＬＤＳシステムが他の名称と称されてもよく、更に、本願の実施例の技術案は非直交多元アクセス技術を用いたマルチキャリア伝送システム、例えば非直交多元アクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システム等に適用されてもよい。
【００３１】
本願の実施例における端末装置はユーザー装置（ＵＥ：Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）における端末装置等であってもよく、本願の実施例は制限しない。
【００３２】
本願の実施例におけるネットワーク機器は端末装置と通信するための装置であってもよく、該ネットワーク機器はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  ＮｏｄｅＢ）であってもよく、更にクラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線制御装置であってもよく、又は該ネットワーク機器は中継所、アクセスポイント、車載装置、ウェアラブルデバイス及び将来の５Ｇネットワークにおけるネットワーク機器又は将来発展するＰＬＭＮネットワークにおけるネットワーク機器等であってもよく、本願の実施例は制限しない。
【００３３】
図１は本願の実施例の１つの応用シーンの模式図である。図１における通信システムは端末装置１０及びネットワーク機器２０を備えてもよい。ネットワーク機器２０は端末装置１０に通信サービスを提供してコアネットワークにアクセスすることに用いられ、端末装置１０はネットワーク機器２０から送信される同期信号、ブロードキャスト信号等をサーチすることによりネットワークにアクセスし、それによりネットワークとの通信を行う。図１に示す矢印は端末装置１０とネットワーク機器２０との間のセルラーリンクを行うアップリンク／ダウンリンク伝送を示してもよい。
【００３４】
ランダムアクセス技術は移動通信システムにおけるユーザーとネットワークとが通信を行う主要内容である。無線セルラーネットワークにおいて、ユーザーがランダムアクセスプロシージャによってネットワーク側に対し接続要求を開始する。そして、ＬＴＥシステムにおいて、ランダムアクセスの主な目的は、アップリンク同期の確立及び必要なセル無線ネットワーク一時識別子（Ｃ−ＲＮＴＩ：Ｃｅｌｌ  Ｒａｄｉｏ  Ｎｅｔｗｏｒｋ  Ｔｅｍｐｏｒａｒｙ  Ｉｄｅｎｔｉｆｉｅｒ）を受信することである。従って、ランダムアクセスは初期アクセスに適用されるだけでなく、ユーザーのアップリンク同期が失われた場合にも適用される。理解しやすくするために、以下に図２を参照しながらランダムアクセスプロシージャを簡単に説明する。図２に示すように、主に以下を含む。
【００３５】
１、まずランダムアクセスプリアンブル信号を送信する。その主な目的は、ネットワーク機器が端末装置の伝送遅延を正しく推定して、複数の端末装置がアクセス要求を同時に開始する衝突問題を解決することができることである。
【００３６】
２、ネットワーク機器が端末に送信したフィードバック情報には、アップリンク同期に必要な伝送遅延及び現在のシステムのアクセス過負荷状態（端末装置がｂａｃｋｏｆｆメカニズムを用いて衝突回避を行うことに用いられる）が含まれる。それ以外に、ネットワーク機器は、更にアクセスする端末装置に割り当てられたアップリンクリソース位置を端末にフィードバックする。
【００３７】
３、端末装置が指定されたアップリンクリソースにおいてその端末装置の識別子Ｃ−ＲＮＴＩを送信する。
【００３８】
４、ネットワーク機器が衝突解決情報を端末装置にフィードバックする。それによって、ランダムアクセスプロシージャは複数の端末装置がシステムにアクセスするように同時に要求することによる衝突問題を完全に解決する。
【００３９】
アクセスリソースが限られているため、複数の端末装置が同時に同一アクセスリソースにおいてアクセスを開始するとき、衝突してしまう。端末装置は、ランダムアクセス応答時間窓内で２のフィードバック情報を受信したかどうか、又は受信されたフィードバック情報に含まれるプリアンブル信号が自身の送信したものに一致するかどうかによって、今回のランダムアクセスプロシージャに失敗したかどうかを判断することができる。具体的に、端末装置は、ランダムアクセス応答時間窓内でフィードバック情報が受信されていなく、又は受信されたフィードバック情報には自身の送信したものに一致するプリアンブル信号が存在しない場合、端末装置は今回のランダムアクセスプロシージャに失敗したと見なされてもよく、また、端末装置は更に受信された上記４における衝突解決情報に基づいて競争解決失敗を判断し、今回のランダムアクセスプロシージャに失敗したことを同様に判断することができる。
【００４０】
異なるランダムアクセスプリアンブル信号に対し、ネットワーク機器のランダムアクセス応答情報は、成功に検出して判断された衝突未発生のプリアンブルシーケンス番号、該シーケンスの伝送遅延、端末が３において使用されるアップリンク伝送リソース、及びユーザーの一時識別子を含む。なお、ネットワーク機器は、更に現在のランダムアクセスの負荷状態に基づいて、ランダムアクセス応答に衝突回避ｂａｃｋｏｆｆ指示パラメータを追加するかどうかを判断する。該パラメータの作用は、端末装置が、ランダムアクセス衝突の発生する際に次の利用可能なランダムアクセス機会にプリアンブル信号の送信を直ちに行わずに、ある程度の遅延の後にプリアンブル信号の再送信を行うようにすることであり、それにより端末装置同士が衝突する確率を低減させる。
【００４１】
５Ｇ等の将来の無線通信システムにおいて、ランダムアクセスプロシージャを起動するための条件は以下を含んでもよい。
【００４２】
１、初期の無線リソース制御（ＲＲＣ：Ｒａｄｉｏ  Ｒｅｓｏｕｒｃｅ  Ｃｏｎｔｒｏｌ）接続を確立し、端末装置がアイドル状態から接続状態になるとき、端末装置がランダムアクセスプロシージャを開始する。
【００４３】
２、ＲＲＣ接続を再確立し、無線リンクに失敗した後、端末装置がＲＲＣ接続を再度確立する必要がある時に、ＵＥがランダムアクセスプロシージャを開始する。
【００４４】
３、端末装置がハンドオーバーする時に、端末装置がターゲットセルでランダムアクセスプロシージャを開始する。
【００４５】
４、ダウンリンクデータが到達してから、端末装置が接続状態にある時に、ネットワーク機器は端末装置に伝送すべきダウンリンクデータがあるが、端末装置がアップリンク・アウト・オフ・シンクロナイゼーション状態（ネットワーク機器が１つのアップリンクタイマーを維持し、アップリンクタイマーがタイムアウトになっても、しかもネットワーク機器に端末装置のサウンディング（ｓｏｕｎｄｉｎｇ）信号が受信されていない場合、ネットワーク機器は、端末装置がアップリンク・アウト・オフ・シンクロナイゼーションになっていることを見なす）にあることを発見した場合、ネットワーク機器は、ランダムアクセスプロシージャを開始させるように端末装置を制御する。
【００４６】
５、アップリンクデータが到達してから、端末装置が接続状態にある時に、端末装置はネットワーク機器に伝送すべきアップリンクデータがあるが、自身がアップリンク・アウト・オフ・シンクロナイゼーション状態（ネットワーク機器が１つのアップリンクタイマーを維持し、アップリンクタイマーがタイムアウトになっても、端末装置がネットワーク機器のタイムアドバンス（ＴＡ：ｔｉｍｅ  ａｄｖａｎｃｅ）の調整命令が受信されていない場合、端末装置はそれがアップリンク・アウト・オフ・シンクロナイゼーションになると見なされる）にあることを発見した場合、端末装置はランダムアクセスプロシージャを開始する。
【００４７】
６、端末装置が接続状態にあり、定位のためにＴＡが必要である場合、端末装置は、ランダムアクセスプロシージャを開始する。
【００４８】
ランダムアクセスプロシージャを起動するための条件の優先度が異なるため、ランダムアクセスプロシージャを再度開始するために必要とするバックオフ時間も異なる。例えば、上記６つの条件において、ＲＲＣ接続の優先度が最も高く、ランダムアクセスプロシージャを再度開始する前のバックオフ時間も最も短い。従って、本願の実施例において、異なるランダムアクセスプロシージャを起動するための条件に基づいて、対応するｂａｃｋｏｆｆ時間をどのように選択するかを提供する。
【００４９】
図３は本願の実施例のランダムアクセスのための方法１００を示す模式的なブロック図である。図３に示すように、該方法１００はネットワーク機器の観点から説明したものであり、具体的に基地局により実行されてもよく、該方法１００は、主に、
ネットワーク機器が複数のランダムアクセスプロシージャを起動するための条件に一対一に対応する閾値及び／又は確率値を確定し、前記閾値が、端末装置が対応する条件によってトリガーされるランダムアクセスプロシージャを再度開始する前の第１最大待ち時間を示すことに用いられ、前記確率値が、前記端末装置の確定したバックオフ時間が対応する条件で再度トリガーされる前記ランダムアクセス前の第２最大待ち時間より小さい確率を示すことに用いられるＳ１１０と、
前記ネットワーク機器が前記複数のランダムアクセスプロシージャを起動するための条件と閾値及び／又は確率値との対応関係を含む構成情報を第１端末装置に送信するＳ１２０と、を含む。
【００５０】
以上によれば、異なるトリガー条件によってトリガーされるランダムアクセスが実際に必要とする待ち時間は異なり、そのため、従来の同一時刻に異なるトリガー条件によってトリガーされるランダムアクセスに対して、ネットワーク機器により設定された最大待ち時間を採用するのは適切ではなく、従って、異なるトリガー条件におけるランダムアクセスに対して、異なる閾値及び／又は確率値を設定し、それによって、端末装置は、自身により開始した特定のトリガー条件によってトリガーされるランダムアクセスに基づいて、最大待ち時間を確定し、これにより、適切な待ち時間を選択して通信の柔軟性と性能を向上させる機会がある。
【００５１】
好ましくは、ネットワーク機器は、端末装置が異なるランダムアクセスの再度開始の複数回の待ち時間を記録し、異なるトリガー条件に従って分類して、一定の計算をして対応する閾値を得て、例えば平均値等を求めることができる。ネットワーク機器は、更にランダムアクセスプロシージャを起動するための条件の優先度、例えばランダムアクセスの場合の優先度、伝送対象データのサービス品質（ＱｏＳ：Ｑｕａｌｉｔｙ  ｏｆ  Ｓｅｒｖｉｃｅ）パラメータ又はランダムアクセスの失敗回数等を考慮することができる。具体的には、ネットワーク機器は、通常、異なるランダムアクセスの待ち時間に基づいて、異なるランダムアクセスプロシージャを起動するための条件の優先度を考慮して、対応する閾値を確定することができ、例えば、ＲＲＣ接続の優先度が端末装置のセルハンドオーバーを行う優先度より高いため、ＲＲＣ接続の場合の閾値を１０ｍｓ、ハンドオーバーの場合の閾値を２０ｍｓとして設定することができるなど。更に例えば、通常、端末装置が接続状態にあるとき、ＱｏＳパラメータに含まれる伝送対象データの許容可能な最大遅延が３０ｍｓであるため、端末装置は、アップリンク・アウト・オフ・シンクロナイゼーションの場合のランダムアクセスプロシージャを開始する閾値を少なくとも３０ｍｓ以下として設定することができる。更に、例えば、端末装置がＲＲＣ接続を５回したが、５回にすべて失敗し、端末装置が６回目のランダムアクセスをする前に、ネットワーク機器は、端末装置のために時間長の小さい閾値を改めて設定することができる。
【００５２】
好ましくは、ネットワーク機器は、端末装置が異なるランダムアクセスの再度開始の複数回の待ち時間を記録し、異なるトリガー条件に従って分類して、一定の計算をして、対応する確率値を取得し、例えば待ち時間がある時間領域になる確率等を求めることができる。例えば、ネットワーク機器は、ＲＲＣ接続確立の場合の待ち時間の１０回を記録し、そのうち９回が［１０ｍｓ，２０ｍｓ］区間になり、残りの１回が２０ｍｓより大きいことを発見した場合、ネットワーク機器は、ＲＲＣ接続確立が２０ｍｓ以内である場合の確率値を９０％に設定することができる。この２０ｍｓの値は、ネットワーク機器が端末装置に予めブロードキャストされてもよい。ネットワーク機器は、更にランダムアクセスプロシージャを起動するための条件の優先度、例えばランダムアクセスの場合の優先度、伝送対象データのサービス品質（ＱｏＳ：Ｑｕａｌｉｔｙ  ｏｆ  Ｓｅｒｖｉｃｅ）パラメータ、又はランダムアクセスの失敗回数等を考慮して、異なる確率値を確定することができる。例えば、上記確率値の設定時にトリガー条件の優先度を考慮し、同様に、ＲＲＣ接続確立の場合の優先度が端末装置のハンドオーバーの場合より大きい時に、ＲＲＣ接続確立の場合の確率値を９０％以上、例えば９５％等に適宜増加させることができる。
【００５３】
上記のものはネットワーク機器がどのようにランダムアクセスプロシージャを起動するための条件に対応する閾値及び／又は確率値を設定する具体的な実現について例示して説明したが、本願の実施例はこれに限らないと理解すべきである。
【００５４】
更に、本願の実施例は現在の通信システムに関わるランダムアクセスプロシージャを起動するための条件を例として説明したが、前記条件は更に将来の通信システムにおける発生した他のランダムアクセスプロシージャを起動するための条件等であってもよいと理解すべきである。
【００５５】
ネットワーク機器はランダムアクセスプロシージャを起動するための条件と閾値及び／又は確率値との関係を設定した後、ブロードキャスト等によって端末装置に通知すべきである。該対応関係は実際のシーンを考慮して一定の周期で定時に更新してもよい。
【００５６】
以上によれば、ネットワーク機器が端末装置へフィードバック情報を送信するとき、フィードバック情報には、端末装置がランダムアクセスプロシージャに失敗した際に次回にランダムアクセスプロシージャを開始する前の最大待ち時間、すなわち本願の実施例におけるｂａｃｋｏｆｆ指示パラメータを含ませることができる。本願の実施例におけるｂａｃｋｏｆｆ指示パラメータと閾値との相違点は、閾値が異なるランダムアクセスプロシージャを起動するための条件に対し設定したものであるが、ｂａｃｋｏｆｆ指示パラメータが同一時刻にランダムアクセスを行う際にリソース競争のあるすべての端末装置に対し設定したものであるということにあると理解すべきである。また、ｂａｃｋｏｆｆ指示パラメータは主にネットワーク機器の負荷状態を考慮して設定したものであるが、閾値は一般的に異なるランダムアクセスプロシージャを起動するための条件の優先度に関わるものである。ネットワーク機器は更にネットワーク機器の負荷状態及び異なるトリガー条件の優先度を直接考慮してｂａｃｋｏｆｆ指示パラメータと閾値を１つにすることができ、つまり、ネットワーク機器のフィードバック情報に含まれる最大待ち時間は、実は複数のトリガー条件に対応する複数の最大待ち時間であり、端末装置が該対応関係を受信した後、そのトリガー条件を考慮して、対応する最大待ち時間を選択することができ、それにより最終的なｂａｃｋｏｆｆ待ち時間を更にランダムに選択することができる。
【００５７】
図４は本願の実施例のランダムアクセスのための方法２００を示す模式的なブロック図である。図４に示すように、該方法２００は端末装置の観点から説明したが、具体的にユーザー装置により実行されてもよく、該方法２００は、主に、
第１端末装置のランダムアクセスプロシージャに失敗した場合、前記第１端末装置が前記ランダムアクセスプロシージャを起動するための条件に基づいて前記ランダムアクセスプロシージャを再開始する前のバックオフ時間を確定するＳ２１０と、
前記第１端末装置が前記バックオフ時間に基づいて前記ランダムアクセスプロシージャを再度開始するＳ２２０と、を含む。
【００５８】
具体的に、第１端末装置はそのランダムアクセスプロシージャに失敗したことを確定した後、現在のトリガーランダムアクセスの条件に応じて、該ランダムアクセスプロシージャを再開始する前の待ち時間を確定することができる。例えば、第１端末装置が、ランダムアクセス応答時間窓内でフィードバック情報が受信できていなく、又は受信されたフィードバック情報には自分の送信したものに一致するプリアンブル信号がない場合、今回のランダムアクセスプロシージャに失敗したと見なしてもよく、更に第１端末装置はランダムアクセスを行うトリガー条件に基づいて、例えば、トリガー条件がＲＲＣ接続である場合、第１端末装置は前回の同じトリガー条件によってトリガーされるランダムアクセスの最大待ち時間に基づき、該ランダムアクセスの再開始前の待ち時間を確定することができる。端末装置はそれがランダムアクセスを行うトリガー条件を考慮して、ランダムアクセスプロシージャを再開始する前の待ち時間を確定することができ、適切な待ち時間を選択して通信の柔軟性と性能を向上させる機会がある。
【００５９】
好ましくは、本願の実施例では、Ｓ２１０は、
前記第１端末装置が前記ランダムアクセスプロシージャを起動するための条件に基づき、前記ランダムアクセスプロシージャを起動するための条件に対応する第１閾値及び／又は前記ランダムアクセスプロシージャを起動するための条件に対応する第１確率値を確定し、前記第１閾値が、前記第１端末装置が前記条件によってトリガーされる前記ランダムアクセスプロシージャを再度開始する前の第１最大待ち時間を示すことに用いられ、前記第１確率値が、前記バックオフ時間が前記条件によってトリガーされる前記ランダムアクセスプロシージャを再度開始する前の第２最大待ち時間より小さい確率を示すことに用いられるＳ２１１と、
前記第１端末装置が前記第１閾値及び／又は前記第１確率値に基づいて前記バックオフ時間を確定するＳ２１２と、を含む。
【００６０】
例えば、第１端末装置が表１に示されるようにランダムアクセスプロシージャを起動するための条件と閾値及び／又は確率値との対応関係を予め把握した場合、第１端末装置は、更にそのランダムアクセスプロシージャを起動するための条件を考慮して今回のランダムアクセスに対応する第１閾値又は第１確率値を取得することができる。
【００６１】
0006949969.tif 000002
具体的には、第１端末装置が現在に初期のＲＲＣ接続を確立している最中である場合、第１端末装置は、上記表をサーチすることができ、取得した対応する閾値が１０ｍｓであり、つまり、第１端末装置は０〜１０内で最終バックオフ時間をランダムに生成することができ、第１端末装置が現在ＲＲＣ接続を再確立している最中である場合、第１端末装置は上記表をサーチすることができ、取得した対応する閾値が２０ｍｓであり、つまり、第１端末装置は０〜２０ｍｓ内で、最終バックオフ時間等をランダムに生成することができる。第１端末装置が現在端末装置のセルハンドオーバーを行っている最中である場合、第１端末装置が表をサーチして取得した対応する確率値は７０％であり、この７０％は第２最大待ち時間が４０ｍｓである場合の確率値を指し、第１端末装置は該確率を考慮して最終バックオフ時間をランダムに生成することができる。
【００６２】
好ましくは、第１端末装置は更に上記ネットワーク機器に設定されたｂａｃｋｏｆｆ指示パラメータを受信することができ、該ｂａｃｋｏｆｆ指示パラメータはネットワーク機器が現在の負荷状態を考慮して設定したものであり、該ｂａｃｋｏｆｆに示される最大待ち時間が２０ｍｓである場合、第１端末装置は最初に０〜２０ｍｓ内で第１時間長、例えば１５ｍｓをランダムに生成することができる。この時、第１端末装置が行っているのは初期のＲＲＣ接続である場合、第１端末装置は表をサーチすることにより閾値が１０ｍｓであって、１５ｍｓより小さいことを把握でき、更に、第１端末装置は０〜１０ｍｓ内で最終バックオフ時間を再びランダムに生成することができる。また、第１端末装置の生成した第１時間長そのものが設定された閾値より小さい場合、第１端末装置は生成された第１時間長を直接最終バックオフ時間とすることができる。第１端末装置は更に最初にｂａｃｋｏｆｆに示される最大待ち時間と閾値との大小関係を判断することができ、ｂａｃｋｏｆｆに示される最大待ち時間が閾値より小さい場合、第１端末装置は０からｂａｃｋｏｆｆに示される最大待ち時間までの間で最終バックオフ時間を直接ランダムに生成することができ、ｂａｃｋｏｆｆに示される最大待ち時間が閾値より大きい場合、第１端末装置が０から閾値までの間で最終バックオフ時間をランダムに生成する。
【００６３】
好ましくは、第１端末装置の受信したｂａｃｋｏｆｆ指示パラメータには、更に、ネットワーク機器がｂａｃｋｏｆｆに示される最大待ち時間を何等分するものが含まれ、各確率値は、第１端末装置が何等分の中から待ち時間を選択する確率に対応する。例えば、ｂａｃｋｏｆｆに示される最大待ち時間が６０ｍｓである場合、それを６等分し、すなわち各部分がいずれも１０ｍｓである。表１における初期のＲＲＣ接続の９０％は、１等分、即ち１０ｍｓ内で待ち時間を選択する確率が９０％であり、つまり１１〜６０ｍｓ内で待ち時間を選択する確率が１０％であるものであってもよい。
【００６４】
好ましくは、本願の実施例では、前記第１端末装置が前記ｂａｃｋｏｆｆ指示パラメータと、前記第１閾値及び前記第１確率値とに基づいて前記バックオフ時間を確定することは、前記第１端末装置が前記ｂａｃｋｏｆｆ指示パラメータ及び前記第１確率値に基づいて第２時間長をランダムに確定することと、前記第２時間長が前記第２最大待ち時間及び前記第１閾値に対応する時間長より大きい場合、前記第１端末装置が前記第１閾値に対応する時間長内で前記バックオフ時間をランダムに確定することと、を含む。
【００６５】
具体的には、第１端末装置は更に閾値、確率値及びｂａｃｋｏｆｆ指示パラメータを考慮して最終バックオフ時間を確定することができる。また、上記表１を例として説明し、仮に第１端末装置が初期ＲＲＣ接続を行う際に受信したｂａｃｋｏｆｆが６０ｍｓであり、しかも６等分され、９０％とは、第１端末装置が１等分内で待ち時間を選択する確率を意味するが、第１端末装置が偶々１０％の確率で１０〜６０を意外に選択した場合、第１端末装置が９０％の確率で改めて選択する必要がなく、閾値１０ｍｓを直接考慮し、つまり２回目に０〜１０ｍｓ内で最終バックオフ時間を直接ランダムに生成する。
【００６６】
上記様々な条件及び表１における数値等は例を挙げて説明するためのものであり、本願の実施例を制限するためのものではないと理解すべきである。
【００６７】
更に、端末装置において説明される端末装置とネットワーク機器との対話及び関連特性、機能等はネットワーク機器の関連特性、機能に対応すると理解すべきである。つまり、ネットワーク機器が端末装置へどんな情報を送信し、それに対応して、端末装置がどんな情報を受信する。
【００６８】
更に、本願の様々な実施例では、上記各過程の番号の順位は実行順序の前後を意味せず、各過程の実行順序はその機能及び内部論理によって確定されるべきであり、本願の実施例の実施過程を制限するためのものではないと理解すべきである。
【００６９】
以上は本願の実施例に係るランダムアクセスのための方法を詳しく説明したが、以下に図５〜図８を参照しながら、本願の実施例に係るランダムアクセスのための装置を説明し、方法実施例において説明される技術的特徴は以下の装置実施例に適用される。
【００７０】
図５は本願の実施例に係るランダムアクセスのための端末装置３００を示す模式的なブロック図である。図５に示すように、該端末装置は第１端末装置であり、該端末装置３００は、
前記第１端末装置のランダムアクセスプロシージャに失敗した場合、前記ランダムアクセスプロシージャを起動するための条件に基づき、前記ランダムアクセスプロシージャを再開始する前のバックオフ時間を確定するための確定モジュール３１０と、
前記バックオフ時間に基づいて前記ランダムアクセスプロシージャを再度開始するための通信モジュール３２０と、を備える。
【００７１】
従って、本願の実施例のランダムアクセスのための端末装置はシステムの通信の柔軟性とシステム性能を向上させることができる。
【００７２】
好ましくは、本願の実施例では、前記確定モジュール３１０は、前記ランダムアクセスプロシージャを起動するための条件に基づき、前記ランダムアクセスプロシージャを起動するための条件に対応する第１閾値及び／又は前記ランダムアクセスプロシージャを起動するための条件に対応する第１確率値を確定することに用いられ、前記第１閾値が、前記第１端末装置が前記条件によってトリガーされる前記ランダムアクセスプロシージャを再度開始する前の第１最大待ち時間を示すことに用いられ、前記第１確率値が、前記バックオフ時間が前記条件によってトリガーされる前記ランダムアクセスプロシージャを再度開始する前の第２最大待ち時間より小さい確率を示すことに用いられる第１確定ユニットと、前記第１閾値及び／又は前記第１確率値に基づいて前記バックオフ時間を確定するための第２確定ユニットと、を備える。
【００７３】
好ましくは、本願の実施例では、前記端末装置は、更に、ネットワーク機器から送信される、少なくとも１つの端末装置がランダムアクセスプロシージャを再度開始する前の最大待ち時間を示すためのバックオフ（ｂａｃｋｏｆｆ）指示パラメータを受信することに用いられ、前記少なくとも１つの端末装置が前記第１端末装置を含む受信モジュールを備え、前記第２確定ユニットは、具体的に、前記ｂａｃｋｏｆｆ指示パラメータと、前記第１閾値及び／又は前記第１確率値とに基づいて前記バックオフ時間を確定することに用いられる。
【００７４】
好ましくは、本願の実施例では、前記第２確定ユニットは、具体的に、前記ｂａｃｋｏｆｆ指示パラメータに示される最大待ち時間内で第１時間長をランダムに確定し、前記第１時間長が前記第１閾値に対応する時間長より大きい場合、前記第１閾値に対応する時間長内で前記バックオフ時間をランダムに確定することに用いられる。
【００７５】
好ましくは、本願の実施例では、前記第２確定ユニットは、具体的に、前記ｂａｃｋｏｆｆ指示パラメータに示される最大待ち時間が前記第１閾値に対応する時間長より大きい場合、前記第１閾値に対応する時間長内で前記バックオフ時間をランダムに確定し、前記ｂａｃｋｏｆｆ指示パラメータに示される最大待ち時間が前記第１閾値に対応する時間長より小さい場合、前記ｂａｃｋｏｆｆに示される最大待ち時間内で前記バックオフ時間をランダムに確定することに用いられる。
【００７６】
好ましくは、本願の実施例では、前記第２最大時間長が前記ｂａｃｋｏｆｆ指示パラメータに示される最大待ち時間より小さい。
【００７７】
好ましくは、本願の実施例では、前記第２確定ユニットは、具体的に、前記ｂａｃｋｏｆｆ指示パラメータ及び前記第１確率値に基づいて第２時間長をランダムに確定し、前記第２時間長が前記第２最大待ち時間及び前記第１閾値に対応する時間長より大きい場合、前記第１閾値に対応する時間長内で前記バックオフ時間をランダムに確定することに用いられる。
【００７８】
好ましくは、本願の実施例では、前記受信モジュールは、更に、前記ネットワーク機器から送信される構成情報を受信することに用いられ、前記構成情報は複数のランダムアクセスプロシージャを起動するための条件と複数の閾値との一対一に対応する関係を含み、前記複数のランダムアクセスプロシージャを起動するための条件が前記ランダムアクセスプロシージャを起動するための条件を含む。
【００７９】
本願の実施例に係るランダムアクセスのための端末装置３００は本願の方法実施例における第１端末装置に対応してもよく、且つ端末装置３００における各ユニットの上記及び他の操作及び／又は機能はそれぞれ図４に示す方法２００における第１端末装置の対応プロセスを実現するためのものであり、簡潔のため、ここで詳細な説明は省略すると理解すべきである。
【００８０】
図６は本願の実施例に係るランダムアクセスのためのネットワーク機器４００を示す模式的なブロック図である。図６に示すように、該ネットワーク機器４００は、
複数のランダムアクセスプロシージャを起動するための条件に一対一に対応する閾値及び／又は確率値を確定することに用いられ、前記閾値は端末装置が対応する条件によってトリガーされるランダムアクセスプロシージャを再度開始する前の第１最大待ち時間を示すことに用いられ、前記確率値は前記端末装置の確定したバックオフ時間が対応する条件で再度トリガーされる前記ランダムアクセス前の第２最大待ち時間より小さい確率を示すことに用いられる確定モジュール４１０と、
前記複数のランダムアクセスプロシージャを起動するための条件と閾値及び／又は確率値との対応関係を含む構成情報を第１端末装置に送信するための送信モジュール４２０と、を備える。
【００８１】
従って、本願の実施例のランダムアクセスのためのネットワーク機器はシステムの通信の柔軟性とシステム性能を向上させることができる。
【００８２】
好ましくは、本願の実施例では、前記確定モジュール４１０は、具体的に、前記複数のランダムアクセスプロシージャを起動するための条件の優先度に基づき、前記複数のランダムアクセスプロシージャを起動するための条件に一対一に対応する閾値及び／又は確率値を確定することに用いられる。
【００８３】
好ましくは、本願の実施例では、前記送信モジュール４２０は、更に、少なくとも１つの端末装置がランダムアクセスプロシージャを再度開始する前の最大待ち時間を示すためのバックオフ（ｂａｃｋｏｆｆ）指示パラメータを前記第１端末装置に送信することに用いられ、前記少なくとも１つの端末装置が前記第１端末装置を含む。
【００８４】
本願の実施例に係るランダムアクセスのためのネットワーク機器４００は本願の方法実施例におけるネットワーク機器に対応してもよく、且つネットワーク機器４００における各ユニットの上記及び他の操作及び／又は機能はそれぞれ図３に示す方法１００におけるネットワーク機器の対応プロセスを実現するためのものであり、簡潔のため、ここで詳細な説明は省略すると理解すべきである。
【００８５】
図７に示すように、本願の実施例は更にランダムアクセスのための端末装置５００を提供し、該端末装置５００は図４における方法２００に対応する第１端末装置の内容を実行することに用いられることが可能である図３における端末装置３００であってもよい。該端末装置５００は入力インターフェース５１０、出力インターフェース５２０、プロセッサ５３０及びメモリ５４０を備え、該入力インターフェース５１０、出力インターフェース５２０、プロセッサ５３０及びメモリ５４０がバスシステムを介して接続されてもよい。前記メモリ５４０はプログラム、命令又はコードを記憶することに用いられる。入力インターフェース５１０が信号を受信し、出力インターフェース５２０が信号を送信し、上記方法実施例における操作を完了するように制御するよう、前記プロセッサ５３０は前記メモリ５４０におけるプログラム、命令又はコードを実行することに用いられる。
【００８６】
従って、本願の実施例のランダムアクセスのための端末装置はシステムの通信の柔軟性とシステム性能を向上させることができる。
【００８７】
本願の実施例では、該プロセッサ５３０は中央処理装置（ＣＰＵ：Ｃｅｎｔｒａｌ  Ｐｒｏｃｅｓｓｉｎｇ  Ｕｎｉｔ）であってもよく、該プロセッサ５３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【００８８】
該メモリ５４０は読み出し専用メモリ及びランダムアクセスメモリを含んでもよく、且つプロセッサ５３０に命令及びデータを提供する。メモリ５４０の一部は更に不揮発性ランダムアクセスメモリを含んでもよい。例えば、メモリ５４０に更に装置タイプ情報が記憶されてもよい。
【００８９】
実現過程において、上記方法の各内容はプロセッサ５３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接具現されてもよい。ソフトウェアモジュールはランダムメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ５４０に位置し、プロセッサ５３０がメモリ５４０における情報を読み取り、そのハードウェアと合わせて上記方法の内容を完了する。重複を避けるために、ここで詳細な説明は省略する。
【００９０】
１つの具体的な実施方式において、図３における確定モジュール３１０及び通信モジュール３２０は図７におけるプロセッサ５３０により実現されてもよく、受信モジュールは図７における入力インターフェース５１０により実現されてもよい。
【００９１】
図８に示すように、本願の実施例は更にランダムアクセスのためのネットワーク機器６００を提供し、該ネットワーク機器６００は図３における方法１００に対応するネットワーク機器の内容を実行することに用いられることが可能である図４におけるネットワーク機器４００であってもよい。該ネットワーク機器６００は入力インターフェース６１０、出力インターフェース６２０、プロセッサ６３０及びメモリ６４０を備え、該入力インターフェース６１０、出力インターフェース６２０、プロセッサ６３０及びメモリ６４０がバスシステムを介して接続されてもよい。前記メモリ６４０はプログラム、命令又はコードを記憶することに用いられる。入力インターフェース６１０が信号を受信し、出力インターフェース６２０が信号を送信し、上記方法実施例における操作を完了するように制御するよう、前記プロセッサ６３０は前記メモリ６４０におけるプログラム、命令又はコードを実行することに用いられる。
【００９２】
従って、本願の実施例のランダムアクセスのためのネットワーク機器はシステムの通信の柔軟性とシステム性能を向上させることができる。
【００９３】
本願の実施例では、該プロセッサ６３０は中央処理装置（ＣＰＵ：Ｃｅｎｔｒａｌ  Ｐｒｏｃｅｓｓｉｎｇ  Ｕｎｉｔ）であってもよく、該プロセッサ６３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【００９４】
該メモリ６４０は読み出し専用メモリ及びランダムアクセスメモリを含んでもよく、且つプロセッサ６３０に命令及びデータを提供する。メモリ６４０の一部は更に不揮発性ランダムアクセスメモリを含んでもよい。例えば、メモリ６４０に更に装置タイプ情報が記憶されてもよい。
【００９５】
実現過程において、上記方法の各内容はプロセッサ６３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接具現されてもよい。ソフトウェアモジュールはランダムメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ６４０に位置し、プロセッサ６３０がメモリ６４０における情報を読み取り、そのハードウェアと合わせて上記方法の内容を完了する。重複を避けるため、ここで詳細な説明は省略する。
【００９６】
１つの具体的な実施方式において、図４における確定モジュール４１０は図８におけるプロセッサ６３０により実現されてもよく、送信モジュールは図８における出力インターフェース６２０により実現されてもよい。
【００９７】
当業者であれば、本明細書に開示される実施例を参照して説明した各例示的なユニット及びアルゴリズムステップは、電子ハードウェア、又はコンピュータソフトウェアと電子ハードウェアとの組み合わせで実現されてもよいと理解される。これらの機能をハードウェア又はソフトウェア方式で実行するかは、技術案の特定応用及び設計制約条件によって確定される。当業者は各特定応用に対して異なる方法で説明される機能を実現することができるが、このような実現は本願の範囲を超えると見なされるべきではない。
【００９８】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【００９９】
本願に係るいくつかの実施例では、開示されるシステム、装置及び方法は他の方式で実現されてもよいと理解すべきである。例えば、以上に説明される装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１００】
分離部材として説明される該ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１０１】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０１０２】
該機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ、又はネットワーク機器等であってもよい）に本願の各実施例における該方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１０３】
以上の説明は本願の具体的な実施方式であって、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
0006949969.tif 000003
【図２】
0006949969.tif 000004
【図３】
0006949969.tif 000005
【図４】
0006949969.tif 000006
【図５】
0006949969.tif 000007
【図６】
0006949969.tif 000008
【図７】
0006949969.tif 000009
【図８】
0006949969.tif 000010